(57)【要約】【課題】外部チューナを用いた予約録画を簡便な操作で可能とする。【解決手段】ライン入力のＴＶ放送番組を録画するビデオレコーダ１０と、このレコーダ１０の外部に存在しこのレコーダにネットワーク接続された外部チューナ５０が用いられる。このレコーダ１０により外部チューナ５０からのＴＶ放送番組を録画するにあたっては、まず、レコーダ１０に、放送の録画予約が登録される。この録画予約が実行される直前に、レコーダ１０から外部チューナ１０に、ネットワークを介して、録画すべきＴＶ放送番組の転送を指令する情報が登録される。外部チューナ５０は、登録された指令に基づいて、レコーダ１０のライン入力に、録画予約されたＴＶ放送番組を送出する。【選択図】    図１
2004363649.tif 000002
【特許請求の範囲】
【請求項１】
インターネット上のＴＶ番組サイト情報を利用して外部からのＡＶ情報を録画する機能を有する録画機器と、この録画機器にネットワークを介して接続されるものであって前記録画機器単独では受信しない放送を受信する外部チューナとを用いる方法において、
前記録画機器に、この録画機器単独では受信しない放送の録画処理を登録し、
前記録画機器に前記録画処理が登録された場合に、前記録画機器から、前記外部チューナに、前記録画処理実行時に録画すべきＡＶ情報の転送を指令する情報を、前記ネットワーク経由で登録する録画方法。
【請求項２】
外部からのＡＶ情報を録画する機能を有する録画機器と、この録画機器にネットワークを介して接続されるものであって前記録画機器単独では受信しない放送を受信する外部チューナとを用いる方法において、
前記録画機器に、この録画機器単独では受信しない放送の録画処理を登録し、
前記録画機器に前記録画処理が登録された場合に、前記録画機器から、前記外部チューナに、前記録画機器による録画処理実行時に録画すべきＡＶ情報の転送を指令する情報を、前記ネットワーク経由で登録する録画方法。
【請求項３】
外部からのＡＶ情報を録画する機能を有する録画機器と、この録画機器の外部に存在する外部チューナとを用いる方法において、
前記録画機器に、放送の録画処理を登録し、
前記録画機器に前記録画処理が登録された場合に、前記録画機器から、前記外部チューナに、前記録画機器による録画処理実行時に録画すべきＡＶ情報の転送を指令する情報を登録する録画方法。
【請求項４】
外部からのＡＶ情報を録画する機能を有する１以上の録画機器と、この録画機器にネットワークを介して接続されるものであって前記録画機器単独では受信しない放送を受信する１以上の外部チューナとを用いる方法において、
前記外部チューナの１つに対して、被制御機器用の識別名称を設定し、
前記録画機器の１つに対して、制御対象機器の識別名称を設定し、
前記被制御機器用の識別名称と前記制御対象機器用の識別名称とが一致するところの前記外部チューナと前記録画機器の組み合わせの間で、この組み合わせの録画機器に、この録画機器単独では受信しない放送の録画処理を登録し、
前記組み合わせの録画機器に前記録画処理が登録された場合に、前記組み合わせの録画機器から、前記組み合わせの外部チューナに、前記組み合わせの録画機器による録画処理実行時に録画すべきＡＶ情報の転送を指令する情報を、前記ネットワーク経由で登録する録画方法。
【請求項５】
前記被制御機器用の識別名称と前記制御対象機器用の識別名称とが一致する場合に限り、前記被制御機器としての前記外部チューナに対して、前記録画処理実行時に録画すべきＡＶ情報の転送を指令する情報の登録がなされる請求項４に記載の方法。
【請求項６】
外部からのＡＶ情報を録画する機能を有する録画機器と、この録画機器にネットワークを介して接続されるものであって前記録画機器単独では受信しない放送を受信する外部チューナとを用いる方法において、
前記録画機器に、この録画機器単独では受信しない放送の録画処理を登録し、
前記録画機器に前記録画処理が登録された場合に、この登録された録画処理が実行されるべき時刻以前に、前記録画機器から、前記外部チューナに、前記録画機器による録画処理実行時に録画すべきＡＶ情報の転送を指令する情報を、前記ネットワーク経由で登録する録画方法。
【請求項７】
インターネット上のＴＶ番組サイト情報を利用して外部からのＡＶ情報を録画する機能を有する録画機器と、この録画機器にネットワークを介して接続されるものであって前記録画機器単独では受信しない放送を受信する外部チューナとを用いる方法において、
前記ＴＶ番組サイト情報に含まれるチャネル情報と、このチャネル情報に対応する前記外部チューナのチャネル番号情報との対応表を前記録画機器に登録し、
前記録画機器に、この録画機器単独では受信しない放送の録画処理を登録し、
前記録画機器に前記録画処理が登録された場合に、前記対応表に基づき前記ＴＶ番組サイト情報に含まれるチャネル情報が前記外部チューナのチャネル番号情報に変換された情報を含めて、前記録画機器から、前記外部チューナに、前記録画処理実行時に録画すべきＡＶ情報の転送を指令する情報を、前記ネットワーク経由で登録する録画方法。
【請求項８】
インターネット上のＴＶ番組サイト情報を利用して外部からのＡＶ情報を録画する機能を有する録画機器と、この録画機器にネットワークを介して接続されるものであって前記録画機器単独では受信しない放送を受信する外部チューナとを用いる方法において、
前記録画機器に、この録画機器単独では受信しない放送の録画処理を登録し、
前記録画機器に前記録画処理が登録された場合に、前記録画機器から、前記外部チューナに、前記録画処理実行時に録画すべきＡＶ情報の転送を指令する情報を、前記ネットワーク経由で登録し、
前記録画処理の実行中は、前記外部チューナの選局維持に反する処理を無視あるいは禁止または無効とする録画方法。
【請求項９】
外部指令に応じた受信チャネルのＡＶ情報を出力する外部チューナにネットワークを介して接続可能なネットワークインターフェイスと、
前記外部チューナから出力される前記ＡＶ情報を受けることができる入力端子と、
現在時刻を示す時間情報を提供するタイマと、
受信チャネル情報および録画開始時刻情報を含む録画登録情報を格納する録画登録情報メモリと、
前記録画登録情報メモリに格納された前記録画登録情報に相当する情報を、前記外部指令とともに、前記外部チューナへ、前記ネットワークを介して転送させる制御部と、
前記入力端子で受けた前記外部チューナからの前記ＡＶ情報を録画する録画部とを備えた録画装置。
【請求項１０】
外部指令に応じた受信チャネルのＡＶ情報を出力する外部チューナにネットワークを介して接続可能なネットワークインターフェイスと、
前記外部チューナの識別情報に対応した識別情報を記憶する識別情報メモリと、
前記外部チューナから出力される前記ＡＶ情報を受けることができる入力端子と、
現在時刻を示す時間情報を提供するタイマと、
受信チャネル情報および録画開始時刻情報を含む録画登録情報を格納する録画登録情報メモリと、
前記録画登録情報メモリに格納された前記録画登録情報に相当する情報を、前記外部指令とともに、前記識別情報メモリ内の前記識別情報に対応した識別情報を持つ前記外部チューナへ、前記ネットワークを介して転送させる制御部と、
前記入力端子で受けた前記外部チューナからの前記ＡＶ情報を録画する録画部とを備えた録画装置。
【請求項１１】
外部指令に応じた受信チャネルのＡＶ情報を出力する外部チューナにネットワークを介して接続可能なネットワークインターフェイスと、
前記外部チューナから出力される前記ＡＶ情報を受けることができる入力端子と、
現在時刻を示す時間情報を提供するタイマと、
インターネット上のＴＶ番組サイト情報に対応した受信チャネル情報および録画開始時刻情報を、録画登録情報として格納する録画登録情報メモリと、
前記ＴＶ番組サイト情報に含まれるチャネル情報と、このチャネル情報に対応する前記外部チューナのチャネル番号情報との対応表を格納する対応表メモリと、
前記対応表に基づき前記ＴＶ番組サイト情報に含まれるチャネル情報が前記外部チューナのチャネル番号情報に変換された情報を含めて、前記録画登録情報メモリに格納された前記録画登録情報に相当する情報を、前記外部指令とともに、前記外部チューナへ、前記ネットワークを介して転送させる制御部と、
前記入力端子で受けた前記外部チューナからの前記ＡＶ情報を録画する録画部とを備えた録画装置。
【請求項１２】
所定の時刻に所定の受信チャネルのＡＶ情報を出力せよという指令を出力する録画機器にネットワークを介して接続可能なネットワークインターフェイスと、
前記ネットワークを介して前記録画機器から前記指令を受けると、前記所定の時刻に所定の受信チャネルのＡＶ情報を出力する端子とを具備したチューナ機器またはそのチューナを搭載した受像装置。
【請求項１３】
所定の時刻に所定の受信チャネルのＡＶ情報を出力せよという指令を出力する録画機器にネットワークを介して接続可能なネットワークインターフェイスと、
前記ネットワークを介して前記録画機器から前記指令を受けると、前記所定の時刻に所定の受信チャネルのＡＶ情報を出力する端子と、
前記録画機器からの指令による、所定の受信チャネルのＡＶ情報の出力中は、このＡＶ情報の出力維持に反する処理を禁止または無効とする制御部とを具備したチューナ機器またはそのチューナを搭載した受像装置。
【発明の詳細な説明】
【０００１】
【発明の属する技術分野】
この発明は、電子番組表を利用した録画予約が可能な録画機器およびこの機器にネットワーク接続される外部チューナを用いた、録画方法およびこの方法を利用する録画装置に関する。
【０００２】
【従来の技術】
近年、インターネット上で、ＴＶ番組データの提供をサービスするＴＶ番組サイトが多数開設している。これに伴い、映像機器（ビデオレコーダ等）やＰＣ（パーソナルコンピュータ）製品の中にも、これらＴＶ番組サイトの情報を利用して簡単な操作で番組予約を登録できる機能を持った製品が見られるようになった（特許文献１）。
【０００３】
【特許文献１】
特開２００２−１３５６９７号公報。
【０００４】
【発明が解決しようとする課題】
ＴＶ番組サイトの情報を利用した録画予約処理では、ＴＶ番組サイトのテキスト情報を、録画機器が選局チャネル情報と予約日時情報に変換して、予約情報として登録して、予約録画を実行している。
【０００５】
一方、放送においては、従来のアナログ地上放送以外に、ＢＳデジタル放送やＣＳデジタル放送が、新たな放送としてサービス開始されており、前述のＴＶ番組サイト上の番組データにも、ＢＳデジタル放送の番組情報などが掲載されるようになってきている。
【０００６】
従来のＴＶ番組サイトに対応した機能を有する録画機器（ＤＶＤビデオレコーダ等）では、内蔵チューナは、アナログ地上放送に対応したチューナのみである場合がほとんどである。このような録画機器の場合、搭載チューナが対応していない放送（ＢＳデジタル放送、地上波デジタル放送等）に関しては、外部に別機器としてその放送に対応したチューナを用意し、外部ビデオ入力経由で信号を取り込んで録画することになる。
【０００７】
この場合、ＴＶ番組サイトを使用して搭載チューナが対応していない放送（たとえばＢＳデジタル放送）のチャネルを録画予約する場合、録画機器の予約としては、予約日時に「外部ビデオ入力からの信号を録画するような予約情報が録画機器に登録される」ことになる。
【０００８】
しかし、録画機器の外部ビデオ入力に入力される信号を、予約された放送チャネルに切替えるために、録画機器の外部ビデオ入力に接続されている別機器のチューナに対して、予約日時と予約チャネルを指定した予約を別途登録する必要があり、この別機器のチューナに対する予約情報の別途登録は、ユーザが手動で設定する必要がある。
【０００９】
この発明は、上記事情に鑑みなされたもので、その目的は、ユーザにとって簡便な操作（インターネット上の電子番組表を利用した、録画機器にだけ対する予約など）で、外部チューナ（あるいはこの外部チューナに相当するチューナを内蔵する外部機器）を用いた録画登録を可能とする、録画方法およびこの方法を利用する装置を提供することである。
【００１０】
【課題を解決するための手段】
この発明の一実施の形態では、外部からのＡＶ情報（ライン入力のＴＶ放送番組等）を録画する機能を有する録画機器（ＤＶＤビデオレコーダ等）と、この録画機器の外部に存在する外部チューナ（ＢＳデジタルチューナ等）とが用いられる。この録画機器により外部チューナから録画を行うにあたっては、まず、前記録画機器に、放送の録画処理（予約録画等）が登録される（図１５のステップＳＴ３６）。そして、この録画処理が実行される以前に、前記録画機器から、前記外部チューナに、録画すべきＡＶ情報の転送を指令する情報が登録される（図１８のステップＳＴ４２）。録画機器は、登録された録画処理の開始時刻になると（図１８のステップＳＴ４４イエス）、外部チューナと連携して録画を実行する（図１８のＳＴ４６；図２２の処理）。
【００１１】
【発明の実施の形態】
以下、図面を参照して、この発明の種々な実施の形態に係るシステム（方法および装置）を説明する。
【００１２】
図１は、この発明の一実施の形態に係る、ネットワーク（有線ＬＡＮ）を利用した録画方法が利用されるシステム構成を説明する図である。ここでは、一例として、家庭内のネットワーク（ＬＡＮ）回線に、イーサネット（Ｒ）を利用している。このネットワークのルータ３０は、例えばブロードバンド対応のモデム（ＡＤＳＬモデム）３２を介してインターネットに接続されている。このルータ３０は複数のハブを持ち、これらのハブに、パーソナルコンピュータ（ＰＣ）２０、録画機器（ＤＶＤ−ＶＲレコーダ）１０、および外部チューナ（衛星および／または地上波デジタルチューナを内蔵した、セットトップボックスＳＴＢまたはデジタルＴＶ）５０が、例えばストレートケーブルを介して、ネットワーク接続（イーサ接続）されている。
【００１３】
図１のシステム構成では、録画機器１０は、ウェブ上の電子番組表サイト（インターネットＥＰＧ）にアクセスして電子番組情報（ＥＰＧ情報）を取り込むことができるように構成されている。その構成方法はＰＣの場合と同様でよく、ＰＣ２０も同様にウェブ上の電子番組表サイト（インターネットＥＰＧ）にアクセスできる。ＰＣ２０上で電子番組表サイトのＥＰＧ情報から選択された番組情報等は、ルータ３０を介して、同じネットワーク上の録画機器１０に転送され、録画機器１０内のメモリに登録できるようになっている。なお、録画機器１０は、ＰＣ２０を用いなくても、リモコン操作等により、電子番組表サイトのＥＰＧ情報からユーザ所望の番組を選択し、選択した番組の情報を自己の内部メモリに登録することができるように構成されている。
【００１４】
また、録画機器１０に登録された番組情報に相当あるいは対応する情報（登録された番組のＡＶ情報を登録された時間帯に送出させる指令等）は、ルータ３０を介して、同じネットワーク上の外部チューナ５０に転送され、外部チューナ５０内のメモリに登録されるようになっている。
【００１５】
外部チューナ５０は、録画機器１０から転送された情報に基づいて、電子番組表サイトのＥＰＧ情報から選択された番組の放送時間になると、その番組のＡＶ情報（ビデオ信号と音声情報）を録画機器１０のライン入力等に自動的に送出する。すると、録画機器１０は、外部チューナ５０からのＡＶ情報の録画を自動的に開始する。なお、録画機器１０がＡＶ情報のデジタル入力（ＩＥＥＥ１３９４インターフェイス等）を持ち、外部チューナがデジタル出力（ＩＥＥＥ１３９４インターフェイス等）を持っているときは、外部チューナ５０から録画機器１０へのＡＶ情報の送出は、アナログライン経由でなく、デジタルライン経由で行なうこともできる。
【００１６】
以上の構成では、ＢＳ／ＣＳ／地上波デジタル放送チューナを内蔵していない録画機器１０でも、外部のＢＳ／ＣＳ／地上波デジタル放送チューナと連携して、  ＢＳ／ＣＳ／地上波デジタル放送の自動録画（ＥＰＧを用いた予約録画等）を実現できる。
【００１７】
図２は、この発明の一実施の形態に係る録画機器（光ディスクビデオレコーダ、例えばＤＶＤ−ＶＲレコーダ）１０の内部構成を説明する図である。この録画機器１０は、内蔵ＴＶチューナ（地上波アナログＴＶ放送チューナなど）１０３からのＴＶ放送番組、あるいはラインＡＶ入力１０４からのアナログＡＶ情報（アナログビデオテープの再生信号、外部チューナ５０からのアナログＡＶ出力など）を、記録可能光ディスク（ＤＶＤ−ＲＡＭディスク、ＤＶＤ−Ｒディスクなど）１０２にデジタル記録し、また記録されたデジタルＡＶ情報をディスク１０２から再生するディスクドライブ部１０１を備えている。（なお、光ディスクの代わりに、あるいは光ディスクと併用して、図示しないハードディスクドライブを利用したデジタル録再も可能である。）
アナログＡＶ情報を受けるラインＡＶ入力１０４としては、コンポーネントＤ入力（ＮＴＳＣの色差入力を扱うＤ１、プログレッシブ色差入力を扱うＤ２、ハイビジョン色差入力を扱うＤ３〜Ｄ５など）、Ｓ端子、および／またはコンポジットＮＴＳＣビデオ信号を受ける同軸入力などが用いられる。
【００１８】
内蔵ＴＶチューナ１０３あるいはラインＡＶ入力１０４からのアナログＡＶ情報（ビデオ情報、オーディオ情報、およびその他のサブ情報が適宜含まれる）は、エンコーダ部１０５内でＡ／Ｄ変換されてのちＭＰＥＧエンコードされ、フォーマッタ１０５Ａで所定の記録信号にフォーマッティングされて、ディスクドライブ部１０１のデータプロセサ１０１Ｃに送られる（オーディオ情報についてはリニアＰＣＭエンコードが可能なように構成することもできる）。なお、図２のレコーダがデジタル入出力を扱えるストリーマとして構成されているときは、ＩＥＥＥ１３９４Ｉ／Ｆ１１５からのデジタル情報が、ＭＰＥＧエンコード処理をスキップして、フォーマッタ１０５Ａに送られる。
【００１９】
データプロセサ１０１Ｃに送られたデジタルストリームの記録信号は、一時記録部（大容量バッファメモリ）１０１Ｂを適宜利用しつつ、ディスクドライブ１０１Ａに装填された光ディスク１０２にデジタル記録される。
【００２０】
再生時は、ディスクドライブ１０１Ａによりディスク１０２から再生されたデジタル情報がデータプロセサ１０１Ｃを介してデコーダ部１０６に送られる。デコーダ部１０６はビデオ・オーディオのＭＰＥＧデコーダ（および適宜リニアＰＣＭデコーダ）を内蔵しており、デコード後のデジタルＡＶ信号をビデオミキサ１１６に送出する。ビデオミキサ１１６では、フレームメモリ１１７を利用して、デコーダ部１０６からのビデオ映像に、例えばメインＭＰＵ１１０が指令するオンスクリーン表示（ＯＳＤ）情報が適宜重畳される。電子番組表の画面表示は、このＯＳＤ情報を利用して行なうことができる。このＯＳＤ情報が適宜重畳されたビデオ映像およびこの映像に付くオーディオ信号は、Ｄ／Ａ変換されてのち、ＡＶ出力（Ｄ端子、同軸端子など）１０７を介して、外部モニタ（あるいは外部ＴＶ）６０に送出される（Ｄ／Ａ変換前のデジタルＡＶ情報をＩＥＥＥ１３９４Ｉ／Ｆを介して出力することも可能）。
【００２１】
図２の録画機器１０は、さらに、ユーザ操作を受け付ける入力部１０８およびユーザのリモコン操作を受け付けるリモコン受信部１２０を備えている。これらのユーザ操作の指令はメインＭＰＵ１１０に送られ、ユーザ指令（録画指令、再生指令、録画予約指令、入力切替指令、内蔵ＴＶチューナのチャネル切替指令など）を受けると、メモリ１１１を利用しつつ、ユーザ指令に対応した処理を行なうように構成されている。ユーザ指令に応じた処理状態は、適宜、表示部（蛍光管表示または液晶表示）１１２に表示され、および／またはビデオミキサ１１６を介してオンスクリーン表示される。表示部１１２および／またはこのオンスクリーン表示は、メインＭＰＵ１１０の制御により、録画予約処理などの操作情報を表示することができる。
【００２２】
図２の録画機器１０は、さらに、ＥＰＧを利用した予約録画等に対応するため、メインＭＰＵ１１０に接続されたタイママイコン部（タイマＭＰＵ）１０９と、ネットワークルータ３０を介してインターネット接続するための通信制御部１１３およびＩ／Ｆ１１４を備えている。図２のネットワークルータ３０、モデム３２、ＰＣ２０は、図１に例示された構成における同じ参照符号のものに対応している。図２の「ウェブ上の電子番組サイト４０」は、図１のインターネットから得られる情報の１つの例である。
【００２３】
タイマＭＰＵ１０９は、録画予約情報（ＥＰＧ情報）をメモリ１１１に保存して登録し、当該録画予約情報に従って録画予約処理を実行する。ＭＰＵ１１０は、録画機器１０のメイン制御装置であり、後述する録画予約情報の取得及び管理を実行する機能を備えている。メモリ１１１は、タイマＭＰＵ１０９及びＭＰＵ１１０の両者によりアクセスされる共用メモリであり、主として録画予約情報（ＥＰＧ情報）を保存（登録）する。
【００２４】
通信制御部１１３は、ネットワークルータ３０を介してインターネットなどに接続され、各種の情報の通信（交換）を行なう。なお、ＰＣ２０は、インターネットに接続できる携帯型情報端末（ＰＤＡ）、あるいはインターネット接続機能を備えた携帯電話でもよい。ウェブ上の電子番組サイト４０は、インターネットを介してＥＰＧ情報（録画予約情報）を提供する情報提供サイトに相当する。
【００２５】
なお、タイマＭＰＵ１０９が実行するファームウエアはＭＰＵ１０９内の図示しないＲＯＭに書き込まれており、メインＭＰＵ１１０が実行するファームウエアはＭＰＵ１１０内の図示しないＲＯＭに書き込まれている。
【００２６】
また、図２の実施の形態では、録画機器１０の内蔵ＴＶチューナ１０３は、ＢＳ／ＣＳ／地上波デジタル放送の受信機能は持たない場合を想定している。
【００２７】
図３は、この発明の一実施の形態に係る外部チューナ（例えば、衛星および／または地上波デジタル放送を受信するセットトップボックスＳＴＢ、あるいは衛星および／または地上波デジタル放送を受信するチューナを内蔵したデジタルＴＶのチューナ部分）の内部構成を説明する図である。ここでは、チューナ関連部分にポイントをおいて説明するため、外部チューナとして衛星および／または地上波デジタル放送を受信するセットトップボックスＳＴＢを想定して説明する。
【００２８】
図３の外部チューナ（ＳＴＢ）内のチューナ部５０２は、衛星アンテナ（および地上波デジタル用には専用ＵＨＦアンテナ）５００に接続される。チューナ部５０２は、衛星デジタル放送（ＢＳ／ＣＳデジタル放送）および／または地上波デジタル放送を受信する構成を持つ。チューナ部５０２で受信されたデジタル放送のストリーム（ＭＰＥＧ−ＴＳなど）はデコーダ５０４に送られる。チューナ部５０２からのデジタル放送ストリームのうち、デジタルで外部出力するものは、デジタルストリームのままＩＥＥＥ１３９４Ｉ／Ｆ５０６に送られる。デコーダ５０４に送られたデジタル放送ストリームのうち、アナログに変換して外部出力するものは、デコーダ５０４内でＭＰＥＧデコードされてのちビデオミキサ５０８に送られる。ビデオミキサ５０８は、フレームメモリ５１０を適宜用いて、ＭＰＥＧデコードされた放送画像に制御ＭＰＵ５２０からのオンスクリーン情報（メニュー画面など）を重畳して、ＡＶ出力部５１２に送る。
【００２９】
ＡＶ出力部５１２は、送られてきた放送画像（適宜オンスクリーン情報を含む）をＡ／Ｄ変換し、所定の信号形式（例えばコンポーネントＤ１出力、Ｙ／Ｃ分離されたＳ出力、あるいはコンポジット同軸出力）で、外部出力する。  ＡＶ出力部５１２は、さらに、デコーダ５０４でデコードされたオーディオ情報（ＭＰＥＧのＭＰ２音声情報あるいはＡＡＣの５．１チャネルマルチ音声）を、デジタルのままあるいはＤ／Ａ変換してアナログとして、出力する（オーディオ情報の信号線の個別図示は省略）。
【００３０】
図３のＳＴＢ５０の動作（電源オン・オフ、受信チャネルの切替設定、各種ＡＶ情報の出力制御、各種設定メニューの画面制御等）は、制御ＭＰＵ５２０により制御される。このＭＰＵ５２０は、制御用ファームウエアが書き込まれたＲＯＭ、各種制御パラメータが書き込まれたＲＯＭを内蔵している。また、ファームウエア実行の際のワークエリアとして、さらには各種設定情報の一時記憶部として、メモリ５２２が制御ＭＰＵ５２０に接続されている。このＭＰＵ５２０にはさらに、リモコン５２６からのユーザ操作指令を受けるリモコン受信部５２４、時刻を知るためのタイマ５３０、動作状態あるいは設定状態を表示するための表示部５２８、そして図２の録画機器１０にネットワーク接続するためのネットワークコントローラ５４０およびＩ／Ｆ５４２が接続されている。
【００３１】
コントローラ５４０には自身の識別名（チューナＩＤ；デフォルトＩＤは、例えばＩＤ＝１）が設定され、ネットワーク上の録画機器１０から送られてくる情報は、自身の識別名（例えばＩＤ＝１）で特定された情報パケットだけを受け付けるように構成されている。
【００３２】
図４は、同じネットワーク上に複数の録画機器（１０−１、１０−２）および複数の外部チューナ（５０−１、５０−２）が接続されている場合のシステム構成を説明する図である。
【００３３】
ここでは、録画機器１０−１がデジタル放送チューナ５０−１に対して“ＩＤ＝１”の設定によりペアリングされ、録画機器１０−２がデジタル放送チューナ５０−２に対して“ＩＤ＝２”の設定によりペアリングされている。録画機器１０−１がアナログライン入力しか持たないＤＶＤ−ＶＲレコーダの場合は、デジタル放送チューナ５０−１のアナログビデオ出力（コンポジットＤ１出力＋オーディオ出力等）が録画機器１０−１のアナログビデオ入力（図２ならラインＡＶ入力１０４）にケーブル接続されている。また、録画機器１０−２がデジタル入力を持つストリーマ（ＤＶＤ−ＳＲレコーダあるいはＤ−ＶＨＳ（Ｒ）レコーダ、もしくはハードディスクストリーマ）の場合は、デジタル放送チューナ５０−２のデジタル出力（ＩＥＥＥ１３９４出力等）が録画機器１０−２のデジタル入力（図２ならＩＥＥＥ１３９４Ｉ／Ｆ１１５）にケーブル接続される。
【００３４】
以上のような接続形態により、例えば地上波アナログＴＶチューナしか持たないＤＶＤ−ＶＲレコーダ１０−１でＢＳデジタル放送の録画が可能となり、また例えばチューナを内蔵しないストリーマ１０−２で地上波デジタル放送のストリームレコーディングが可能となる。さらには、仮にレコーダ１０−１がデジタル放送チューナを内蔵していたとしても、内蔵チューナより高性能な外部チューナからのＡＶ信号をライン入力で録画したい場合にも対応できる。
【００３５】
図５は、同じネットワーク上に１以上の録画機器および１以上の外部チューナが接続されている場合において、１つの録画機器と１つの外部チューナとをペアリング設定する方法の一例を説明するフローチャート図である。図６は、同じネットワーク上に１以上の録画機器および１以上の外部チューナが接続されている場合において、各外部チューナにおける、ネットワーク上の識別名（ＩＤ）を選択し設定する操作画面（メニュー画面）を例示する図である。図７は、同じネットワーク上に１以上の録画機器および１以上の外部チューナが接続されている場合において、各録画機器における、ネットワーク上のペアリング相手（制御対象となる外部チューナ）の識別名（ＩＤ）を選択し設定するメニュー画面を例示する図である。
【００３６】
図５の例では、ユーザが機器のセットアップを行い、録画機器と外部チューナを連携させるまでの例を示している。
【００３７】
ユーザは、まず、図６のように、外部チューナ（例えば図４の５０−１）の設定メニューで、ネットワーク上で外部チューナを識別するための識別名称（例えばチューナＩＤ＝１）を設定する（ステップＳＴ１０）。ユーザが特に設定しないときは、ＩＤ＝１がデフォルト値として設定される。
【００３８】
次に、図７のように、録画機器（例えば図４の１０−１）の設定メニューで、制御対象とする外部チューナをネットワーク上で識別する名称（ここではチューナＩＤ＝１）を設定する（ステップＳＴ１２）。これで録画機器１０−１と外部チューナ５０−１とのペアリング設定が終了する。他にペアリングしたい機器（例えば図４の録画機器１０−２と外部チューナ５０−２）がある場合は（ステップＳＴ１４ノー）、同様な設定処理（例えばステップＳＴ１０〜ＳＴ１２でＩＤ＝２とする設定）が行われる。他にペアリングしたい機器がない場合は（ステップＳＴ１４イエス）、図５の処理は終了する。
【００３９】
このようなペアリング設定が済むと次のような動作が可能となる。すなわち、録画機器（例えば図４の１０−１）は、ネットワーク上の外部チューナ（例えば図４の５０−１）を制御しようとする場合、自機器（１０−１）に設定されている「制御対象の外部チューナ（５０−１）」を識別名称（ＩＤ＝１）を用いて認識し、制御対象とする外部チューナ（５０−１）に対して、識別名称の情報を含む制御パケットを送出する。外部チューナ（５０−１）は、制御パケットを受信した場合、パケットに付与されている識別名称（ＩＤ＝１）を検出し、自機器（５０−１）に設定されている識別名称（ＩＤ＝１）と一致しないパケットであった場合、このパケットを無視するように動作する。
【００４０】
これにより、図４に示すように同一ネットワーク上に複数の外部チューナと複数の録画機器が接続されている場合にも、「外部チューナと録画機器とのペア」を正しい組み合わせで連携動作させることが可能となる。
【００４１】
図８は、インターネット上の電子番組サイトから得たチャネル情報と外部チューナのチャネル情報との対応表を、この外部チューナとペアリングされる録画機器に登録する処理の一例を説明するフローチャート図である。
【００４２】
まず、ユーザは、外部チューナ５０のチャネルＣＨとＴＶ番組サイト４０のチャネルＣＨとの対応を録画機器１０に登録する処理を行う。外部チューナ５０において、ユーザが特定のＣＨを認識する情報としては、外部チューナ５０上に、ＯＳＤを用いて表示されるチャネル番号と、放送局名称が挙げられる。ここで表示される放送局名称は、放送局が放送波を用いて伝送してくる情報を利用して表示している。
【００４３】
一方、ＴＶ番組サイト４０の番組情報において、ユーザが特定のＣＨを認識する情報は、放送局名称である。ここでの放送局名称は、ＴＶ番組サイト４０の運営者が、ＴＶ番組データを提供する企業等から入手したデータに基づいて表示される。
【００４４】
外部チューナ５０上の放送局名称と、ＴＶ番組サイト４０上の放送局名称は、実際には同一の放送波を指すものであっても、一致しない場合がある。従って、両者の対応をユーザ自身に判断して解決させる必要がある。そのための対応表を作成する処理が、図８の処理である。この処理について、図９〜図１１（外部チューナのＣＨ情報とＴＶ番組サイトのＣＨ情報との対応付けを行う場合の、情報の流れを図示したもの）および図１２〜図１４（外部チューナのＣＨ情報とＴＶ番組サイトのＣＨ情報との対応付けをＰＣ上で行う場合の、ＰＣ上の操作画面を図示したもの；ユーザ操作に対応したＰＣの画面表示例）を参照しながら、以下に説明する。
【００４５】
まず、ユーザは、ＰＣ２０に、外部チューナ５０のチャネル情報を取得する（ステップＳＴ２０）。そのときのネットワーク上の情報の流れは、図１０に示すようになる。またそのときのＰＣ２０の画面表示（設定メニュー画面）２００は、例えば図１２のようになる。図１２では、対応付けを行なおうとする外部チューナ５０のチャネル情報“ＢＳ１０２”とそれに対応するチャネル名称“  ＮＨＫ  ＢＳ２”とが選択された状態を例示している（ここでは未だ対応付けは行われていない）。
【００４６】
次に、ユーザは、ＰＣ２０に、ＴＶ番組サイトのチャネル情報を取得する（ステップＳＴ２２）。そのときのネットワーク上の情報の流れは、図９に示すようになる。またそのときのＰＣ２０の画面表示（設定メニュー画面）２００は、例えば図１３のようになる。図１３では、選択された外部チューナ５０のチャネル情報（“ＢＳ１０２”および対応チャネル名称“  ＮＨＫ  ＢＳ２”）に対して、対応付けしようとするＴＶ番組サイト４０のチャネル情報（“  ＮＨＫ  ２（ＢＳ１０２）”）が選択された状態を例示している。
【００４７】
次に、ユーザは、ＰＣ２０の画面２００上で、選択された外部チューナ５０のチャネル情報（“ＢＳ１０２”および対応チャネル名称“  ＮＨＫ  ＢＳ２”）に対して、ＴＶ番組サイト４０のチャネル情報（“  ＮＨＫ  ２（ＢＳ１０２）”）を選択して対応付け、対応表を作成する（ステップＳＴ２４）。そのときのＰＣ２０の画面表示（設定メニュー画面）２００は、例えば図１４のようになる（ＢＳ１０２に関する対応付けが反映された画面）。この作成は、対応付けしたいチャネルの数だけ反復される（ステップＳＴ２６ノー）。
【００４８】
対応表の作成が完了すると（ステップＳＴ２６イエス）、完成した対応表のデータはＰＣ２０から録画機器１０の内部メモリ（図２ではメモリ１１１の一部のエリア）にロード（登録）される（ステップＳＴ２８）。そのときのネットワーク上の情報の流れは、図１１に示すようになる。
【００４９】
図１５は、ペアリングされた録画機器１０および外部チューナ５０がネットワーク上に接続されている場合において、インターネット上の電子番組サイト４０から選択された「録画したい番組」を選択し、選択した番組情報を録画機器１０へ登録する方法の一例を説明するフローチャート図である。ここで、図１６〜図１７は、ユーザがＴＶ番組サイト４０から番組を探して録画登録を行なうまでの情報の流れを図示したものである。
【００５０】
インターネット上のＴＶ電子番組サイト４０から録画を希望する番組を登録するには、まず、このサイト４０からＰＣ２０上にＴＶ電子番組を取得する（ステップＳＴ３０）。そのときのネットワーク上の情報の流れは、図１６に示すようになる。これにより、ＰＣ２０の画面２００には、そのサイトのＴＶ電子番組表が表示される。
【００５１】
ユーザは、画面２００に表示された番組情報を閲覧しながら、録画番組を検索する。その中から録画したい番組が見つかった場合は、  ＰＣ２０のマウスクリック等の簡単な操作で所望の番組を選択する（ステップＳＴ３２）。この選択操作は、所望の番組数分反復される（ステップＳＴ３４ノー）。選択が終了すると（ステップＳＴ３４イエス）、ＰＣ２０の画面２００上の図示しない「登録ボタン」等をマウスクリックして、選択された番組情報を録画機器１０のメモリ１１１にロードする（ステップＳＴ３６）。そのときのネットワーク上の情報の流れは、図１７に示すようになる。これにより、録画機器１０に、インターネット上のＴＶ電子番組サイト４０から選択された録画情報（予約録画情報）が登録される。
【００５２】
図１８は、ペアリングされた録画機器および外部チューナがネットワーク上に接続されている場合において、インターネット上の電子番組サイトから選択した番組情報が登録された録画機器が、外部チューナと連携してどのように録画処理を行うのかの一例を説明するフローチャート図である。ここで、図１９〜図２０は、録画機器１０と外部チューナ５０が連携して録画動作する際の情報の流れを図示したものである。
【００５３】
録画機器１０は図２に示すようにタイマＭＰＵ１０９を持ち、この録画機器１０と連携する外部チューナ５０は図３に示すようにタイマ５３０を持っている。従い、録画機器１０および外部チューナ５０は、自身のタイマが（多少の誤差はあってもよいが）正しく時間設定されている限り、現在時刻を常時知り得る状態にある。録画機器１０は、自分のメモリ１１１に登録された録画情報の録画開始時刻から、何時録画を始めればよいか判定できる。
【００５４】
機器動作には多少のタイムラグがあるしタイマの実働時間にも多少の誤差はあるので、録画機器１０は、録画開始時刻以前の所定時刻（例えば、録画開始直前である、開始時刻の１５秒程前）に（ステップＳＴ４０イエス）、外部チューナ５０へ、録画すべきＡＶ情報の転送指令をロードする（ステップＳＴ４２）。そのときのネットワーク上の情報の流れは、図１９に示すようになる。これにより、録画機器１０のメモリ１１１に格納された録画情報（予約録画情報）に対応または相当する情報（図１４に示すような対応表によりサイト４０のチャネル情報は外部チューナ５０の対応チャネル番号に変換されている）が、録画開始前に、外部チューナ５０の内部メモリ５２２に格納される。こうして、互いにペアリングされている（図５の処理によりＩＤのマッチングがとられている）録画機器１０のＭＰＵと外部チューナ５０のＭＰＵは、何時からどのチャネルの放送を録画すべきかを、自分のメモリに格納された番組情報から知ることができるようになる。
【００５５】
録画を開始する時刻になると（ステップＳＴ４４イエス）、互いにペアリングされた録画機器１０と外部チューナ５０は、連携して録画処理を実行する（ステップＳＴ４６）。すなわち、外部チューナ５０は、録画機器１０からネットワーク経由で登録された録画情報に基づき、指定されたチャネルを選局し、指定された時間帯にそのチャネルの放送番組のビデオ出力を録画機器１０へ送出する。この連携録画動作は、録画機器１０および外部チューナ５０双方のメモリに格納された予約録画情報内の録画終了時間になるまで継続される（ステップＳＴ４８ノー）。そのときの録画用ＡＶ情報の流れは、図２０に示すようになる（デジタルチューナ５０のビデオ出力から録画機器１０のビデオ入力までのライン接続）。
【００５６】
図１８の連携処理によれば、録画開始時刻の直前に録画機器１０から外部チューナ５０へ録画情報が登録（ステップＳＴ４２）されて以降、録画開始時刻の直前までは、録画情報は、録画機器１０内で一元管理されている。すなわち、録画情報の閲覧や、登録削除などのユーザ操作は、録画機器１０に対する操作で完結され、同じような操作を外部チューナ５０に対してユーザが行なう必要はなくなる。
【００５７】
なお、ステップＳＴ４０での「録画開始前の所定時刻」は、ここで例示した１５秒前に限定されない。この時間は一例に過ぎず、５秒前でも５分前でもかまわない。ただ、予約録画の情報を録画機器１０側で一元管理する主旨からは、録画開始時間より余り早すぎる（例えば数時間前〜数日前）のは好ましくない。しかし、もし外部チューナ５０および／または録画機器１０を予約録画時間に重なるある期間ネットワークから外す必要がある場合（例えばルータ３０のハブ数に限りがあり外部チューナ５０および／または録画機器１０用のハブを別用途に用いる必要がある場合）は、その前に録画機器１０から外部チューナ５０に録画予約情報を転送しておく必要がある。この場合は、ステップＳＴ４０の所定時間を録画開始時間よりかなり前に設定することも可能である。一旦外部チューナ５０のメモリに録画機器１０のメモリと同じ（あるいは対応する）予約録画情報が格納されたあとは、予約情報内の録画開始時間に外部チューナ５０から録画機器１０のライン入力に予約録画すべきＡＶ情報を送出できるので、そのときに外部チューナ５０および／または録画機器１０がネットワークから切り放されていても、両者による連携予約録画動作に支障はない。
【００５８】
図２１は、図１８の録画処理において、録画機器から外部チューナへ転送指令がロードされる場合の処理（ステップＳＴ４２）の内容の一例を説明するフローチャート図である。
【００５９】
まず、外部チューナ５０のＭＰＵ５２０は、予約録画情報の転送先である自身の識別名（例えば図５のステップＳＴ１０で設定したＩＤ＝１）と、ネットワークを介して送られてくるパケットに付いている転送元の録画機器１０で設定した識別名（例えば図５のステップＳＴ１２で設定したＩＤ＝１）とが一致するかどうかチェックする（ステップＳＴ４２０）。両者が一致した場合（ステップＳＴ４２０イエス）は、外部チューナ５０のＭＰＵ５２０はネットワークを介して送られてくるパケットが自分宛のものであると判断する。すると、識別名が一致した録画機器１０から外部チューナ５０に、予約録画情報に基づく転送指令（どのチャネルの放送を何時から何時まで転送せよという内容の指令）がロードされる（ステップＳＴ４２６）。
【００６０】
もし、外部チューナ５０の識別名（例えばＩＤ＝１）と転送元である録画機器１０で設定した識別名（例えばＩＤ＝２）とが一致しない場合（ステップＳＴ４２０ノー）、ネットワークを介して送られてくるパケットは無視され、外部チューナ５０のＭＰＵ５２０は、識別名の一致するパケットが送られてくるのを待つ（ステップＳＴ４２０ノーのループ）。これにより、図４に示すように同一ネットワーク上に複数の外部チューナと複数の録画機器が接続されている場合にも、「外部チューナと録画機器とのペア」を正しい組み合わせで連携動作させることが可能となる。
【００６１】
図２２は、図１８の録画処理において、ペアリングされた外部チューナと録画機器との間の連携録画処理（ステップＳＴ４６）がどのように行われるのかの一例を説明するフローチャート図である。また、図２３は、録画チャネルの選局維持に反する処理を排除する外部チューナ側の動作を説明するフローチャート図である。
【００６２】
まず、録画動作期間中、外部チューナ５０においては、録画チャネルの選局維持と両立しない処理（録画失敗に繋がる処理）に関しては処理しないように排他制御を行ない、録画チャネルの選局を維持する。すなわち、図２３の処理において、外部チューナでの選局が指示されると（ステップＳＴ４６０ａ）、その時点で外部チューナ５０が録画機器１０へＡＶ情報を転送中であるかどうかチェックされる。転送中であれば（ステップＳＴ４６０ｂイエス）、ステップＳＴ４６０ａでの選局指示は「録画チャネルの選局維持と両立しない処理（録画失敗に繋がる処理）」であると判定され、その選局指示の処理は実行されない（ステップＳＴ４６０ｃ）。一方、転送中でなければ（ステップＳＴ４６０ｂノー）、ステップＳＴ４６０ａでの選局指示は「録画チャネルの選局維持と両立する処理（録画失敗に繋がらない処理）」であると判定され、その選局指示の処理は実行される（ステップＳＴ４６０ｄ）。
【００６３】
ここで、録画動作期間中、外部チューナ５０において、録画チャネルの選局維持と両立しない処理（録画失敗に繋がる処理）の例としては、外部チューナ５０のリモコン５２６等による外部チューナ本体に対する操作や、放送波から指示される自動処理（たとえばＢＳデジタル放送における緊急警報放送）などがある。
【００６４】
図２３の処理により録画中（録画機器１０へＡＶ情報転送中）は録画チャネルの選局が維持された状態で、外部チューナ５０から録画機器１０へ録画すべき放送のＡＶ情報の転送が開始され（図２２のステップＳＴ４６２）、録画機器１０では転送されてきたＡＶ情報（ライン入力）の録画が開始される（図２２のステップＳＴ４６４）。その後図１８のステップＳＴ４８にリターンし、この「録画チャネルの選局が維持された」外部チューナ５０と録画機器１０との連携録画処理は、それぞれのメモリに設定された予約情報中の録画終了時刻まで、維持される。
【００６５】
図２４は、この発明の他の実施の形態に係る、ネットワーク（無線ＬＡＮ）を利用した録画方法が利用されるシステム構成を説明する図である。ここでは、図１のようにルータ３０にケーブル接続でネットワークを構築する代わりに、無線ＬＡＮカードおよび無線ＬＡＮアダプタ（１０ｘ、５０ｘ）を併用することで、図１と同様なネットワークをケーブルレスで構築している。図２４のように無線ＬＡＮでネットワークを構築すると、例えばある家庭の１階に設置された録画機器１０とその２階に設置された外部チューナ５０との間で、図１８の連携録画処理を実現することができる。
【００６６】
＜実施の形態のまとめ＞
＊基本ポイントは、
（０１）録画情報が登録されている録画機器から、外部チューナに対してネットワークを利用して録画情報を登録する。
【００６７】
（０２）外部チューナに対して登録する録画情報は、少なくとも以下の情報を含んだものとする。
【００６８】
（イ）選局すべきチャネルを指定する情報。たとえば、ＮｅｔｗｏｒｋＩＤと  ＳｅｒｖｉｃｅＩＤ。
【００６９】
（ロ）録画日時情報。たとえば、録画開始日付と録画開始時刻および／または録画期間。
【００７０】
（０３）外部チューナのＣＨ情報と、ＴＶ番組サイトのＣＨ情報の対応付けを、ユーザが手動で行い、対応付けの結果は、録画機器に登録する。録画機器は、外部チューナへ録画情報を登録する場合は、この対応付けの情報に基づき、外部チューナのＣＨ情報の形式で選局すべきチャネルを指定する。
【００７１】
（０４）外部チューナに関して「被制御用の識別名称」、録画機器に関して「制御対象機器の識別名称」を設定する。外部チューナは、自機器宛の制御パケットのみを処理し、録画機器は制御対象機器のみへ制御パケットを送出する。これにより、同一ネットワーク上に１以上の外部チューナおよび１以上の録画機器が接続されている場合でも、設定されている（予めペアリングされた）機器同士の組み合わせで動作が可能となる。
【００７２】
＊＊周辺ポイントは、
（１１）録画情報が登録されている録画機器から、外部チューナに対してネットワークを利用して録画開始時刻の直前に録画情報を登録する。
【００７３】
（１２）外部チューナは、録画登録されている期間は、録画チャネルの選局を維持し、外部チューナのリモコン等による、外部チューナ本体に対する操作や、放送波から指示される自動処理（たとえばＢＳデジタル放送における緊急警報放送）など、録画チャネルの選局維持と両立しない処理に関しては、処理しないように動作する。
【００７４】
＜実施の形態に応じた効果のまとめ＞
この発明の実施の形態によれば、
（Ａ）インターネット上のＴＶ番組サイト情報といった、利便性の高い情報を利用し、録画機器単体では対応できない放送に関しても、簡単に録画設定が可能となる。
【００７５】
（Ｂ）外部チューナに対し、録画実行時になって初めて情報を与えるようにすることで、録画機器側だけで、録画情報を容易に一元管理することが可能となる。
【００７６】
（Ｃ）同一ネットワーク上に複数の外部チューナや複数の録画機器が接続されている場合でも、予め設定されている機器同士の組み合わせで動作が可能となる。
【００７７】
（Ｄ）表記形式の異なる情報（放送チャネルを示す情報）同士の対応を、ユーザ自身に解決させ、ユーザの意図するチャネルの録画を確実に実行することが可能となる。
【００７８】
（Ｅ）外部チューナにおいて、録画期間中は確実に録画チャネルの選局を維持することにより、録画の失敗を防止できる。
【００７９】
（Ｆ）ウェブ上の電子番組情報を利用して録画機器に登録した予約情報を、録画開始直前に、外部チューナ（ＢＳデジタルチューナ等）へ、ネットワーク経由で送る。外部チューナは、送られてきた予約情報に基づき、予約された時刻になると、録画機器のライン入力に、録画機器単独では受信できない放送（ＢＳデジタル放送等）のＡＶ情報を転送する。このため、ユーザは、ウェブ上の電子番組情報を利用した録画予約は録画機器に対してだけ行えばよく、この録画機器自体では受信できない放送を受信する外部チューナに対して、さらに予約処理する必要がない。
【００８０】
なお、この発明は上記各実施の形態に限定されるものではなく、その実施の段階ではその要旨を逸脱しない範囲で種々な変形・変更が可能である。たとえば、図１その他の実施の形態では録画機器１０と外部チューナ５０とのネットワーク接続にイーサネット（Ｒ）を用いているが、このネットワーク接続は、録画チャネル、録画開始時間、録画終了時間、録画番組の転送指令等を録画機器１０から外部チューナ５０に送れるものであればよく、他の回線が利用されてもよい。例えば、録画機器１０から外部チューナ５０へのネットワーク接続には、ＩＥＥＥ１３９４、ＵＳＢ（Ｕｎｉｖｅｒｓａｌ  Ｓｅｒｉａｌ  Ｂｕｓ）、ＲＳ２３２Ｃ等が利用されてもよい。また、録画機器１０から外部チューナ５０に送る転送指令は、「録画予約」のように録画開始時間前に送られるものに限定されない。この転送指令は、今直ぐに録画を開始したい場合（オンタイム録画）にも、録画機器１０から外部チューナ５０に送出できる。また、各実施の形態は可能な限り適宜組み合わせて実施されてもよく、その場合組み合わせによる効果が得られる。
【００８１】
さらに、上記実施の形態には種々な段階の発明が含まれており、この出願で開示される複数の構成要件における適宜な組み合わせにより種々の発明が抽出され得る。たとえば、実施の形態に示される全構成要件から１または複数の構成要件が削除されても、この発明の効果あるいはこの発明の実施に伴う効果のうち少なくとも１つが得られるときは、この構成要件が削除された構成が発明として抽出され得るものである。
【００８２】
【発明の効果】
以上詳述したように、この発明によれば、「録画機器側から外部チューナに、録画すべきＡＶ情報の転送指令情報等が登録される」ため、ユーザにとって簡便な操作（インターネット上の電子番組表を利用した、録画機器にだけ対する予約操作など；外部チューナに対する別途予約操作は不要）で、外部チューナ（あるいはこの外部チューナに相当するチューナを内蔵する外部機器）を用いた予約録画が可能となる。
【図面の簡単な説明】
【図１】この発明の一実施の形態に係る、ネットワーク（有線ＬＡＮ）を利用した録画方法が利用されるシステム構成を説明する図である。
【図２】この発明の一実施の形態に係る録画機器（光ディスクビデオレコーダ、例えばＤＶＤ−ＶＲレコーダ）の内部構成を説明する図である。
【図３】この発明の一実施の形態に係る外部チューナ（例えば、衛星および／または地上波デジタル放送を受信するセットトップボックスＳＴＢ、あるいは衛星および／または地上波デジタル放送を受信するチューナを内蔵したデジタルＴＶのチューナ部分）の内部構成を説明する図である。
【図４】ネットワーク上に複数の録画機器および複数の外部チューナが接続されている場合のシステム構成を説明する図である。
【図５】ネットワーク上に１以上の録画機器および１以上の外部チューナが接続されている場合において、１つの録画機器と１つの外部チューナとをペアリング設定する方法の一例を説明するフローチャート図である。
【図６】ネットワーク上に１以上の録画機器および１以上の外部チューナが接続されている場合において、各外部チューナにおける、ネットワーク上の識別名（ＩＤ）を設定するメニュー画面を例示する図である。
【図７】ネットワーク上に１以上の録画機器および１以上の外部チューナが接続されている場合において、各録画機器における、ネットワーク上のペアリング相手（制御対象となる外部チューナ）の識別名（ＩＤ）を設定するメニュー画面を例示する図である。
【図８】インターネット上の電子番組サイトから得たチャネル情報と外部チューナのチャネル情報との対応表を、この外部チューナとペアリングされる録画機器に登録する処理の一例を説明するフローチャート図である。
【図９】ルータを介してネットワーク上に録画機器、外部チューナ、およびパーソナルコンピュータ（ＰＣ）が接続されている場合において、インターネット上の電子番組サイトのチャネル情報がＰＣに取り込まれる場合のネットワーク接続経路および情報の流れを説明する図である。
【図１０】ルータを介してネットワーク上に録画機器、外部チューナ、およびＰＣが接続されている場合において、外部チューナのチャネル情報がＰＣに取り込まれる場合のネットワーク接続経路および情報の流れを説明する図である。
【図１１】ルータを介してネットワーク上に録画機器、外部チューナ、およびＰＣが接続されている場合において、外部チューナのチャネル情報とインターネット上の電子番組サイトのチャネル情報との対応関係を示す対応表がＰＣから録画機器に登録される場合の、ネットワーク接続経路および情報の流れを説明する図である。
【図１２】外部チューナのチャネル情報とインターネット上の電子番組サイトのチャネル情報との対応関係を示す対応表を作成するにあたって、外部チューナのチャネルをユーザが選択するＰＣ上の画面を例示する図である。
【図１３】外部チューナのチャネル情報とインターネット上の電子番組サイトのチャネル情報との対応関係を示す対応表を作成するにあたって、ユーザ選択された外部チューナのチャネルに対して、これに対応させるべき電子番組サイトのチャネル情報をユーザが選択するＰＣ上の画面を例示する図である。
【図１４】外部チューナのチャネル情報とインターネット上の電子番組サイトのチャネル情報とが対応付けられたあとの対応表の内容を例示するＰＣ上の画面表示例を説明する図である。
【図１５】ペアリングされた録画機器および外部チューナがネットワーク上に接続されている場合において、インターネット上の電子番組サイトから選択された録画したい番組を選択し、選択した番組情報を録画機器へ登録する方法の一例を説明するフローチャート図である。
【図１６】ルータを介してネットワーク上に録画機器、外部チューナ、およびパーソナルコンピュータ（ＰＣ）が接続されている場合において、インターネット上の電子番組サイトの情報がＰＣに取り込まれ表示される場合のネットワーク接続経路および情報の流れを説明する図である。
【図１７】ルータを介してネットワーク上に録画機器、外部チューナ、およびＰＣが接続されている場合において、  ＰＣ上に表示されユーザ選択されたインターネット上の電子番組サイトの情報が録画機器に登録される場合の、ネットワーク接続経路および情報の流れを説明する図である。
【図１８】ペアリングされた録画機器および外部チューナがネットワーク上に接続されている場合において、インターネット上の電子番組サイトから選択した番組情報が登録された録画機器が、外部チューナと連携してどのように録画処理を行うのかの一例を説明するフローチャート図である。
【図１９】ルータを介してネットワーク上に録画機器および外部チューナが接続されている場合において、ユーザ選択されたインターネット上の電子番組サイトの情報が登録された録画機器から外部チューナへ、この登録情報に対応した情報（録画チャネル、録画開始時間、録画終了時間、録画番組の転送指令等）が登録される場合の、ネットワーク接続経路および情報の流れを説明する図である。
【図２０】ルータを介してネットワーク上に録画機器および外部チューナが接続されている場合において、録画機器からネットワーク経由で外部チューナに登録された電子番組サイト対応情報（録画チャネル、録画開始時間、録画終了時間、録画番組の転送指令等）に基づいて、外部チューナのライン出力から録画機器のライン入力へ録画番組のＡＶ情報が送出される場合を説明する図である。
【図２１】図１８の録画処理において、録画機器から外部チューナへ転送指令がロードされる場合の処理（ステップＳＴ４２）の内容の一例を説明するフローチャート図である。
【図２２】図１８の録画処理において、ペアリングされた外部チューナと録画機器との間の連携録画処理（ステップＳＴ４６）がどのように行われるのかの一例を説明するフローチャート図である。
【図２３】録画チャネルの選局維持に反する処理を排除する外部チューナ側の動作を説明するフローチャート図である。
【図２４】この発明の他の実施の形態に係る、ネットワーク（無線ＬＡＮ）を利用した録画方法が利用されるシステム構成を説明する図である。
【符号の説明】
１０…ネットワーク対応の録画機器（ＤＶＤ−ＶＲビデオレコーダ、ＤＶＤ−ＳＲストリーマなど）；２０…ネットワーク対応のパーソナルコンピュータ（ＰＣ）；３０…ネットワークのルータ（ハブ内蔵のブロードバンドルータ等）；３２…モデム；４０…ウェブ上の電子番組サイト（インターネットＥＰＧ）；５０…ネットワーク対応の外部チューナ（衛星および／または地上波デジタルチューナ、あるいはこのチューナを内蔵したネットワーク対応のデジタルＴＶ）；６０…外部モニタ（あるいは外部ＴＶ）。
【図１】
2004363649.tif 000003
【図２】
2004363649.tif 000004
【図３】
2004363649.tif 000005
【図４】
2004363649.tif 000006
【図５】
2004363649.tif 000007
【図６】
2004363649.tif 000008
【図７】
2004363649.tif 000009
【図８】
2004363649.tif 000010
【図９】
2004363649.tif 000011
【図１０】
2004363649.tif 000012
【図１１】
2004363649.tif 000013
【図１２】
2004363649.tif 000014
【図１３】
2004363649.tif 000015
【図１４】
2004363649.tif 000016
【図１５】
2004363649.tif 000017
【図１６】
2004363649.tif 000018
【図１７】
2004363649.tif 000019
【図１８】
2004363649.tif 000020
【図１９】
2004363649.tif 000021
【図２０】
2004363649.tif 000022
【図２１】
2004363649.tif 000023
【図２２】
2004363649.tif 000024
【図２３】
2004363649.tif 000025
【図２４】
2004363649.tif 000026